(57)【要約】【課題】この発明は、一端部を軽い力で持ち上げて所定の角度で保持することができるマットレス装置を提供することにある。【解決手段】  長手方向の一端部に設けられた第１のスプリングユニット部７及びこの第１のスプリングユニット部と分断されて長手方向の一端部を除く部分に第１のスプリングユニット部と所定の隙間９を介して設けられた第２のスプリングユニット部８を有するスプリングユニット５と、第１のスプリングユニット部の外周に第１のスプリングユニット部と一体的に設けられた可動杆状部材と、第２のスプリングユニット部の外周に第２のスプリングユニット部と一体的に設けられた固定杆状部材と、固定杆状部材に対して可動杆状部材を回動可能かつ所定の回動角度で保持可能に連結したヒンジ機構と、スプリングユニット及びこの上下面の少なくとも上面に積層された弾性シート４６の積層体を被覆した外装体４７とを具備する。【選択図】      図３
2007325607.tif 000002
【特許請求の範囲】
【請求項１】
長手方向の一端部に設けられた第１のスプリングユニット部及びこの第１のスプリングユニット部と分断されて上記長手方向の一端部を除く部分に上記第１のスプリングユニット部と所定の隙間を介して設けられた第２のスプリングユニット部を有するスプリングユニットと、
上記第１のスプリングユニット部の少なくとも幅方向の両側にこの第１のスプリングユニット部と一体的に設けられた可動杆状部材と、
上記第２のスプリングユニット部の少なくとも幅方向の両側にこの第２のスプリングユニット部と一体的に設けられた固定杆状部材と、
上記固定杆状部材に対して上記可動杆状部材を回動可能かつ所定の回動角度で保持可能に連結したヒンジ機構と、
上記スプリングユニットの上下面の少なくとも上面に積層された弾性シートと、
この弾性シートと上記スプリングユニットとの積層体を被覆した外装体と
を具備したことを特徴とするマットレス装置。
【請求項２】
上記第１のスプリングユニット部と第２のスプリングユニットの上記隙間を挟んで対向する側辺は、これらの側辺がぶつかって音を出すのを防止する消音部材によって被覆されていることを特徴とする請求項１記載のマットレス装置。
【請求項３】
上記弾性シートは上記スプリングユニットの上面と下面との両方に設けられ、上面の弾性シートは下面の弾性シートよりも厚手であることを特徴とする請求項１記載のマットレス装置。
【請求項４】
上記弾性シートは上記スプリングユニットの上面と下面との両方に設けられ、上記第１のスプリングユニット部と第２のスプリングユニット部との隙間には、上記弾性シートが上記隙間内へ変形するのを防止する補強弾性部材が設けられていることを特徴とする請求項１記載のマットレス装置。
【請求項５】
上記弾性シートは上記スプリングユニットの上面と下面との両方に設けられ、これら弾性シートの上記第１のスプリングユニット部と第２のスプリングユニット部との隙間を被覆した部分は、上記第１のスプリングユニット部を上記第２のスプリングユニット部に対して上昇方向に回動させたときに上記スプリングユニットの上面を被覆した弾性シートが浮き上がるのを防止する連結部材によって連結されていることを特徴とする請求項１記載のマットレス装置。
【請求項６】
上記ヒンジ機構は回動可能かつ所定の回動角度で保持可能に連結された第１のアームと第２のアームを有し、
上記第１のアームに上記可動杆状部材が連結固定され、上記第２のアームに上記固定杆状部材がスライド可能に連結されていることを特徴とする請求項１記載のマットレス装置。
【請求項７】
上記外装体の上記第１のスプリングユニットに対応する部分には、上記ヒンジ機構を作動させて上記第１のスプリングユニットを起上させるための作動部材が設けられていることを特徴とする請求項１記載のマットレス装置。
【発明の詳細な説明】
【技術分野】
【０００１】
この発明はベッドなどに用いられるマットレス装置に関する。
【背景技術】
【０００２】
たとえば、ベッドに用いられるマットレス装置はコイルスプリングなどのばね体を平面形状が矩形状になるように組んで形成されたスプリングユニットを有し、このスプリングユニットの上下面にはウレタンフォームなどによって形成された弾性シートを積層し、この積層体を布地を袋状に縫製した外装体で被覆して構成されている。
【０００３】
マットレス装置の上面に仰臥した利用者は、仰臥した姿勢で読書をしたり、テレビを見ることがある。その場合、頭部は水平状態よりもわずかに持ち上げた状態の方が楽に読書をしたり、テレビを見ることができる。
【０００４】
従来のマットレス装置では、利用者の頭部を上げた状態で保持するということができないから、利用者が頭部を上げるためには、枕の下に座布団を折り畳んで挟むということを行なっていた。しかしながら、そのようにして頭部を持ち上げるようにしたのでは安定性が悪いということがあったり、頚部が強く屈曲するため疲れ易いということがある。
【０００５】
そこで、特許文献１に示されるマットレス装置が提案されている。特許文献１に示されたマットレス装置は、スプリングユニットの幅方向の両側にヒンジ機構によって連結された固定杆状部材と可動杆状部材を上記スプリングユニットと一体的に設け、可動杆状部材を固定杆状部材に対して所定の角度で起立させ、上記ヒンジ機構によってその起立角度で保持する。それによって、上記スプリングユニットの一端部を所定の上昇角度で屈曲させて保持することができるから、その屈曲部分に利用者が頭部を安定した状態で載せることができるというものである。
【特許文献１】特開２００４−２６１２１４号公報
【発明の開示】
【発明が解決しようとする課題】
【０００６】
特許文献１に示された構成のマットレス装置によれば、スプリングユニットの一端部をヒンジ機構によって屈曲させた状態で確実に支持することができるから、利用者は頭部をスプリングユニットの屈曲した部分に支持された姿勢を楽に維持することができる。
【０００７】
特許文献１では、スプリングユニットの一端部を屈曲し易くするために、スプリングユニットの上下面の周縁部に設けられた枠線を、スプリングユニットの屈曲される部分で切断し、屈曲させるときに枠線が屈曲抵抗にならないようにしている。
【０００８】
しかしながら、枠線を切断して屈曲時に枠線が抵抗にならないようにしても、スプリングユニットの一端部を屈曲させるにはスプリングユニット自体が屈曲抵抗となる。そのため、スプリングユニットの一端部を軽い力で容易に屈曲させることができないということがある。
【０００９】
しかも、利用者はマットレス装置上に仰臥した状態で頭部を持ち上げながらスプリングユニットの一端部を屈曲させたいということが多い。しかしながら、そのような場合にはスプリングユニットの屈曲操作を仰臥した姿勢で行うことになるため、大きな力を入れずらいから、スプリングユニットの屈曲操作を軽い力で行えるようにすることが強く望まれている。
【００１０】
この発明は、スプリングユニットの一端部を軽い力で容易に屈曲させることができるようにしたマットレス装置を提供することにある。
【課題を解決するための手段】
【００１１】
この発明は、長手方向の一端部に設けられた第１のスプリングユニット部及びこの第１のスプリングユニット部と分断されて上記長手方向の一端部を除く部分に上記第１のスプリングユニット部と所定の隙間を介して設けられた第２のスプリングユニット部を有するスプリングユニットと、
上記第１のスプリングユニット部の少なくとも幅方向の両側にこの第１のスプリングユニット部と一体的に設けられた可動杆状部材と、
上記第２のスプリングユニット部の少なくとも幅方向の両側にこの第２のスプリングユニット部と一体的に設けられた固定杆状部材と、
上記固定杆状部材に対して上記可動杆状部材を回動可能かつ所定の回動角度で保持可能に連結したヒンジ機構と、
上記スプリングユニットの上下面の少なくとも上面に積層された弾性シートと、
この弾性シートと上記スプリングユニットとの積層体を被覆した外装体と
を具備したことを特徴とするマットレス装置にある。
【００１２】
上記第１のスプリングユニット部と第２のスプリングユニットの上記隙間を挟んで対向する側辺は、これらの側辺がぶつかって音を出すのを防止する消音部材によって被覆されていることが好ましい。
【００１３】
上記弾性シートは上記スプリングユニットの上面と下面との両方に設けられ、上面の弾性シートは下面の弾性シートよりも厚手であることが好ましい。
【００１４】
上記弾性シートは上記スプリングユニットの上面と下面との両方に設けられ、上記第１のスプリングユニット部と第２のスプリングユニット部との隙間には、上記弾性シートが上記隙間内へ変形するのを防止する補強弾性部材が設けられていることが好ましい。
【００１５】
上記弾性シートは上記スプリングユニットの上面と下面との両方に設けられ、これら弾性シートの上記第１のスプリングユニット部と第２のスプリングユニット部との隙間を被覆した部分は、上記第１のスプリングユニット部を上記第２のスプリングユニット部に対して上昇方向に回動させたときに上記スプリングユニットの上面を被覆した弾性シートが浮き上がるのを防止する連結部材によって連結されていることが好ましい。
【００１６】
上記ヒンジ機構は回動可能かつ所定の回動角度で保持可能に連結された第１のアームと第２のアームを有し、
上記第１のアームに上記可動杆状部材が連結固定され、上記第２のアームに上記固定杆状部材がスライド可能に連結されていることが好ましい。
【００１７】
上記外装体の上記第１のスプリングユニットに対応する部分には、上記ヒンジ機構を作動させて上記第１のスプリングユニットを起上させるための作動部材が設けられていることが好ましい。
【発明の効果】
【００１８】
この発明によれば、スプリングユニットを第１のスプリングユニット部と第２のスプリングユニット部に分断し、これらを所定の隙間を介して配置してヒンジ機構で連結したから、スプリングユニットの一端部を屈曲上昇させるとき、スプリングユニットが屈曲の抵抗となることがないから、その屈曲操作を軽い力で容易に行うことが可能となる。
【発明を実施するための最良の形態】
【００１９】
図１乃至図６はこの発明の第１の実施の形態を示す。図１はマットレス装置１をベッド２の床板３上に載置した状態を示す斜視図であって、このマットレス装置１は上記ベッド２のヘッドボード４側に位置する長手方向の一端部１ａを所定の角度で上昇させて保持することができるようになっている。
【００２０】
上記マットレス装置１は、図２と図３に示すようにスプリングユニット５を有する。このスプリングユニット５はマットレス装置１の長手方向の一端部に設けられた第１のスプリングユニット部７と、それ以外の部分に設けられた第２のスプリングユニット部８とに分割されていて、これら第１、第２のスプリングユニット部７，８は所定寸法の隙間９を介して配置されている。
【００２１】
第１、第２のスプリングユニット部７，８は一本の線材によって軸線を平行にした複数のコイル部１１を連続して成形した複数のばね体１２がマットレス装置１の幅方向に並設されている。隣り合うばね体１２の上下端はヘリカル線１３によって連結されている。さらに、各スプリングユニット部７，８の上下面の周縁部の全長には枠線１４がクリップ１５によって連結されている。  
なお、枠線１４は第１のスプリングユニット部７と、第２のスプリングユニット部８の対向する一側縁を除く三側縁に沿って設けるようにしてもよい。
【００２２】
上記第１のスプリングユニット部７と上記第２のスプリングユニット部８の互いに対向する一側辺を除く三側辺には、図４と図５に示すコ字状の可動杆状部材１７と、固定杆状部材１８が後述する保持手段によって上記各スプリングユニット部７，８と一体的に設けられている。
【００２３】
上記可動杆状部材１７と固定杆状部材１８とはパイプ材によって形成されていて、上記スプリングユニット５の長手方向の両側に位置する端部は、それぞれヒンジ機構２１によって回動可能かつ所定の回動角度で保持可能に連結されている。
【００２４】
ヒンジ機構２１によって連結された上記可動杆状部材１７と固定杆状部材１８は、上記スプリングユニット５の平面形状よりもわずかに小さな矩形状をなしている。それによって、スプリングユニット５の外周部に設けられた固定杆状部材１１と可動杆状部材１２とは、図４に示すようにスプリングユニット５の周辺部に位置するコイル部１１の軸方向下端部の螺旋状の巻き線間に入り込み、このスプリングユニット５に一体的に保持されている。
【００２５】
上記ヒンジ機構１３は図６に示すように一端が枢軸２６によって枢着された、取付け部としての第１のアーム２７と第２のアーム２８を有する。第１のアーム２７の他端には第１の連結ロッド２７ａの一端が嵌入されて溶接固定され、この第１の連結ロッド２７ａの他端には上記可動杆状部材１７の端部が外嵌されて溶接固定されている。
【００２６】
上記第２のアーム２８の端部には第２の連結ロッド２８ａの一端部が嵌入されて溶接固定され、この第２の連結ロッド２８ａの他端には上記固定杆状部材１８の端部がスライド可能に外嵌されている。それによって、上記可動杆状部材１７は上記ヒンジ機構１３とともに上記固定杆状部材１８に対して図６に矢印Ａで示す方向に移動可能となっている。
【００２７】
第１のアーム２７の一端には歯２９が形成され、第２のアーム２８の一端には上記歯２９に係合するストッパ３１がピン３２によって枢支されている。このストッパ３２はばね３３によって上記歯２９に係合する方向に付勢されている。
【００２８】
上記枢軸２６にはカム板３４が回動可能に取付けられている。このカム板３４の外周面には周方向に所定の角度で凹部３５と凸部３６とが形成されている。上記凸部３６の上記枢軸２６からの半径寸法は、上記歯２９の枢軸２６からの半径寸法よりも大きく形成されている。上記第１のアーム２７の一端には、上記歯２９に上記ストッパ３１が係合した状態において、上記凹部３５に位置する係合体３７が設けられている。
【００２９】
それによって、上記歯２９と上記ストッパ３１との係合によって第１のアーム２７を第２のアーム２８に対して所定の回動角度で保持することができる。上記第１のアーム２７を図６に矢印Ｂで示す方向に回動させ、この回動にカム板３４をその凹部３５の一端に当接する係合体３７によって連動させれば、このカム板３４の凸部３６に上記ストッパ３１が乗り上げて歯２９との係合が外れる。それによって、上記第１のアーム２７を矢印と逆方向に自由に回動させることができる。
【００３０】
上記第１のアーム２７の矢印Ｂで示す方向と逆方向の回動は、上記係合体３７が凹部３５の他端に当接してカム板３４を回動させ、上記ストッパ３１がカム板３４の凸部３６から外れて歯２９に係合するまで、すなわち第１のアーム２７が第２のアーム２８に対してほぼ水平な状態になるまで回動させることができる。
【００３１】
したがって、上記可動杆状部材１７は、上記ヒンジ機構２１により、上記固定杆状部材１８に対して所定の角度で起立した状態で保持可能であるとともに、起立した状態から水平に倒伏させることができるようになっている。
【００３２】
図３と図４に示すように、上記スプリングユニット５の上下面にはそれぞれフェルト４１が全面にわたって設けられている。各フェルト４１の周辺部は枠線１４を巻き込んで折り曲げられ、図示しないクリップによって上記枠線８に保持されている。
【００３３】
上記スプリングユニット５の下面に設けられたフェルト４１には保持手段を構成する保持布４３が積層されている。この保持布４３はスプリングユニット５の平面形状よりも十分に大きな矩形状に形成されていて、周辺部がスプリングユニット５の周辺部から外方へ延出されている。
【００３４】
上記保持布４３のスプリングユニット５の周辺部から延出された周辺部は、図４に示すようにスプリングユニット５の周辺部に設けられた可動杆状部材１７と固定杆状部材１８とにこれらの内周側から外周側に向かって巻かれ、スプリングユニット５の下面の周辺部に戻されている。
【００３５】
上記保持布４３の各杆状部材１７，１８の内周側に向かう部分は図示しないクリップによって上記フェルト４１の端部とともに下側の枠線１４に連結固定され、内周側から外周側に折り曲げられた部分は図示しないクリップによって内周側に向かう部分ととともに上記枠線１４に連結固定されている。それによって、可動杆状部材１７と固定杆状部材１８とは、上記保持布４３の周辺部よってスプリングユニット５に一体的に保持されている。
【００３６】
可動杆状部材１７と固定杆状部材１８とがスプリングユニット５に一体的に保持されていることで、上記可動杆状材１７を固定杆状部材１８に対して所定の角度で回動させれば、その回動にスプリングユニット５の第１のスプリングユニット部７が連動する。それによって、この第１のスプリングユニット部７を第２のスプリングユニット部８に対して所定の角度で屈曲上昇させることができる。しかも、保持布４３の周辺部が各杆状部材１７，１８に巻回されているとことで、各杆状部材１７，１８と各スプリングユニット部７，８のコイル部１１が直接ぶつかり合って金属音が発生するのが防止される。
【００３７】
さらに、可動杆状部材１７と固定杆状部材１８は、各スプリングユニット部７，８の三方を囲むほぼコ字状となっている。そのため、各スプリングユニット部７，８は可動杆状部材１７と固定杆状部材１８とによって幅方向に捩れるのが防止される。とくに、可動杆状部材１７を第１のスプリングユニット部７とともに上昇させたとき、上昇した第１のスプリングユニット部７は幅方向に捩れ易くなるが、上記可動杆状部材１７によって振れるのが防止される。
【００３８】
図３に示すように、上記第１のスプリングユニット部７と第２のスプリングユニット部８の上記隙間９を介して対向する上面の一側縁には、布地や樹脂性シートによって形成された消音部材４４がクリップ４５によって取着されている。それによって、第１のスプリングユニット７を上昇させたときに、その一側縁が第２のスプリングユニット部８の一側縁に直接ぶつかって金属音が発生するのが防止される。
【００３９】
上記スプリングユニット５の上面のフェルト４１には２枚の弾性シート４６が積層され、下面の保持布４３に１枚の弾性シート４６が積層されている。つまり、弾性シート４６はスプリングユニット５の上面が下面より厚手になっている。
【００４０】
上記スプリングユニット５と弾性シート４６の積層体は外装地４７によって被覆されている。この外装地４７は、図３と図４に示すように上記スプリングユニット５の上面を被覆した上部鏡部４８と、下面を被覆した下部鏡部４９及び外周面を被覆したまち部５０とからなる。各鏡部４８，４９及びまち部５０は表地と裏地との間に弾性シートを挟んだ３層構造となっていて、まち部５０の上下端に各鏡部４８，４９の周辺部がテープエッジ５１によって一体的に縫合されている。
【００４１】
図１に示すように、上記外装体４７の上記第１のスプリングユニット部７に対応する部分の端部には、紐状の部材をコ字状に曲成した作動部材５８が一端部を外装体４７の下面に縫着し、中途部を側面に縫着して他端部を上面側に延出させて設けられている。それによって、作動部材５８を上方へ引けば、上記ヒンジ機構２１を作動させて上記第１のスプリングユニット部７の部分である、マットレス装置１の一端部１ａを起上させることができる。
【００４２】
上記構成のマットレス装置１によれば、スプリングユニット５の外周部に、可動杆状部材１７と固定杆状部材１８とを、それぞれ第１のスプリングユニット部７及び第２のスプリングユニット部８と一体的に設け、これら杆状部材１７，１８をヒンジ機構２１によって回動可能かつ所定の回動角度で保持可能に連結した。
【００４３】
そのため、マットレス装置１の長手方向の一端部１ａを上昇させれば、ヒンジ機構２１が作動して上記一端部１ａの第１のスプリングユニット部７が可動杆状部材１７とともに上昇し、図１に示すように所定の上昇角度で保持される。つまり、マットレス装置１の一端部１ａを上方へ屈曲させることができる。
【００４４】
それによって、マットレス装置１の上面に仰臥した利用者は上記一端部１ａによって頭部を持ち上げた姿勢を楽に維持することができるから、仰臥した状態で読書をしたり、テレビを見るなどのことができる。
【００４５】
マットレス装置１の一端部１ａを上昇させる際、その一端部１ａには作動部材５８が設けられている。そのため、利用者は作動部材５８によって上記一端部１ａを上昇方向に容易に引き上げることができる。つまり、上記作動部材５８によってマットレス装置１の一端部１ａの起上操作を容易に行なうことができる。
【００４６】
マットレス装置１の一端部１ａに設けられた第１のスプリングユニット部７は、マットレス装置１の他の部分の第２のスプリングユニット部８と隙間９を介して分断されている。そのため、マットレス装置１の一端部１ａを上昇させるときに大きな抵抗が加わることがほとんどない。
【００４７】
つまり、スプリングユニット５を２つのスプリングユニット部７，８に分断したことで、スプリングユニット５を屈曲させることなく、第１のスプリングユニット部７を上昇させることができる。そのため、第１のスプリングユニット部７を上昇させるときの操作を軽い力で楽に行うことが可能となる。
【００４８】
それによって、たとえば利用者がマットレス装置１上で仰臥した姿勢であっても、頭部を上げながら片手で作動部材５８を引いたり、片手でマットレス装置１の一端部１ａを直接持ち上げるなどして上昇させることができるから、使い易くて便利である。つまり、利用者がマットレス装置１上から降りることなく、その一端部１ａの回動操作を行うことができる。
【００４９】
このように、スプリングユニット１を第１のスプリングユニット部７と第２のスプリングユニット部８とに分断したことで、マットレス装置１の一端部１ａをほとんど抵抗なく上昇させることができる。
【００５０】
しかも、第１のスプリングユニット部７と第２のスプリングユニット部８との分断された部分の上面には２枚の弾性シート４６を積層して補強した。そのため、第１のスプリングユニット部７と第２のスプリングユニット部８との分断された隙間９に、たとえば利用者の身体の一部が落ち込みにくくなるから、第１のスプリングユニット部７と第２のスプリングユニット部８とに分断しても、マットレス装置１の性能が低下するのを防止できる。
【００５１】
マットレス装置１の一端部１ａを上昇させる際、第１のスプリングユニット部７と第２のスプリングユニット部８との分断された部分の上面に設けられた２枚の弾性シート４６が屈曲される。そのため、弾性シート４６が屈曲されることによって生じる抵抗でマットレス装置１の一端部１ａを屈曲させ難くなるということがある。
【００５２】
しかしながら、マットレス装置１の一端部１ａを上昇させる際、弾性シート４６が屈曲されることで反力による抵抗が生じると、その抵抗によって固定杆状部材１８に対してヒンジ機構２１が図６に矢印Ａで示す方向へスライドする。つまり、第１のスプリングユニット部７が第２のスプリングユニット部８に対してスライドする。
【００５３】
それによって、上記弾性シート４６を屈曲させることで生じる抵抗が緩和されるから、そのことによっても第１のスプリングユニット部７を比較的軽い力で容易に屈曲上昇させることができる。
【００５４】
図７はこの発明の第２の実施の形態を示す。この実施の形態は、スプリングユニット５の上面と下面とのそれぞれに弾性シート４６を２枚ずつ積層するとともに、第１のスプリングユニット部７と第２のスプリングユニット部８との隙間９には、帯板状の補強弾性部材５３をスプリングユニット５の幅方向全長にわたって設けるようにした。
【００５５】
上記補強弾性部材５３はその上下端面をスプリングユニット５の上下面に設けられたフェルト４１に接着固定され、それによって上記隙間９で上記補強弾性部材５３がずれ動いたり、倒れることがないようにしている。
【００５６】
このような構成によれば、マットレス装置１の上記隙間９に対応する部分の上下面はスプリングユニット５の上下面にそれぞれ設けられた２枚の弾性シート４６によって補強されるばかりか、上記隙間９の上下の弾性シート４６間に設けられた補強弾性部材５３によっても補強される。  
したがって、利用者の身体の一部が弾性シート４６を変形させて上記隙間９に落ち込むのを確実に防止することができる。
【００５７】
図８はこの発明の第３の実施の形態であって、この実施の形態はスプリングユニット５の上下面に設けられるフェルト４１を、第１のスプリングユニット部７と第２のスプリングユニット部８との隙間９の部分で分断し、それぞれ各スプリングユニット部７，８の対向する上下２組の側辺部に巻き付け、クリップ４２によって保持する。それによって、フェルト４１が第１のスプリングユニット部７と第２のスプリングユニット部８の一側辺が直接ぶつかり合って金属音が発生するのを防止する消音効果を奏することになる。
【００５８】
さらに、スプリングユニット５の上面に設けられた２枚の弾性シート４６と下面に設けられた１枚の弾性シート４６を第１、第２のスプリングユニット部７，８の隙間９の部分で紐状の連結部材５５によって連結する。マットレス装置１の上面に突出する連結部材５５の一端には釦などの表示部材５６を連結する。
【００５９】
それによって、マットレス装置１の一端部１ａを上昇方向に屈曲させたとき、スプリングユニット５の上面に積層された弾性シート４６が浮き上がるのが上記連結部材５５によって防止することができる。
【００６０】
しかも、連結部材５５に連結された表示部材５６が上記隙間９の上面に設けられているから、マットレス装置１の一端部１ａにおける屈曲される位置が上記表示部材５６によって一目で判別することができる。
【００６１】
なお、この第３の実施の形態ではスプリングユニット５の下面に可動杆状部材１７と固定杆状部材１８を保持するための保持布４３は設けず、ヒンジ機構２１によって連結された可動杆状部材１７と固定杆状部材１８がなす矩形の大きさをスプリングユニット５の平面形状よりもわずかに小さく形成する。それによって、上記可動杆状部材１７と固定杆状部材１８はスプリングユニット５に一体的に結合される。
【００６２】
上記各実施の形態ではスプリングユニットの一端部だけを起上させることができるようにしたが、他端部も一端部と同様に起上させることができるようにしてもよい。そのような構造にすれば、マットレス装置上に仰臥した利用者は、頭部だけでなく、足部を上げた状態で保持することができるから、足部の疲労回復などを図る場合になどに有効である。
【図面の簡単な説明】
【００６３】
【図１】この発明の第１の実施の形態を示すベッド上に載置されたマットレス装置の斜視図。
【図２】スプリングユニットの一端部分を示す平面図。
【図３】マットレス装置の第１のスプリングユニット部と第２のスプリングユニット部との隙間が形成された部分の断面図。
【図４】スプリングユニットと可動杆状部材及び固定杆状部材の連結部分を示す断面図。
【図５】スプリングユニットの概略的構成を示す側面図。
【図６】ヒンジ機構の側断面図。
【図７】この発明の第２の実施の形態を示す第１のスプリングユニット部と第２のスプリングユニット部との隙間が形成された部分の断面図。
【図８】この発明の第３の実施の形態を示す第１のスプリングユニット部と第２のスプリングユニット部との隙間が形成された部分の断面図。
【符号の説明】
【００６４】
５…スプリングユニット、７…第１のスプリングユニット部、８…第２のスプリングユニット部、９…隙間、１７…可動杆状部材、１８…固定杆状部材、２１…ヒンジ機構、４１…フェルト、４４…消音部材、４６…弾性シート、４７…外装体、５３…補強弾性部材、５５…連結部材、５６…表示部材、５８…作動部材。
【図１】
2007325607.tif 000003
【図２】
2007325607.tif 000004
【図３】
2007325607.tif 000005
【図４】
2007325607.tif 000006
【図５】
2007325607.tif 000007
【図６】
2007325607.tif 000008
【図７】
2007325607.tif 000009
【図８】
2007325607.tif 000010